(57)【要約】      （修正有）【課題】全体的に装着のフィット感があり、装着したままで前面部を一部開口状態とし、装着者がトイレ等で小便ができる吸収性物品を提供する。【解決手段】吸収性物品は、前面部２と、前面部と対向する後面部３と、前面部と後面部とを接続する左右の側面部４と、前面部の下方から後面部の下方へと連続し、装着者の足が挿通される一対の開口部５ａ、５ｂを有する底面部と、前面部と後面部、及び左右の側面部で構成される袋体の上端の周縁に設けられるベルト部６と、を備える。ベルト部は、第１の開閉部６ａ、６ｂを備え、第１の開閉部においては、前面部の一部に所定長だけ縦方向に切り目が入れられており、左右の側面部は、縦方向に延びた第２の開閉部を備え、第２の開閉部を開くことで、前面部と後面部とを側面部において完全に切り離すことが可能となる。【選択図】図１
0003178260.tif 000002
【実用新案登録請求の範囲】
【請求項１】
前面部と、
上記前面部と対向する後面部と、
上記前面部と後面部とを接続する左右の側面部と、
上記前面部の下方から上記後面部の下方へと連続し、装着者の足が挿通される一対の開口部を有する底面部と、
上記前面部、上記後面部、上記左右の側面部、及び上記底面部で構成される袋体の上端の周縁に設けられるベルト部と、を備え、
上記ベルト部は、第１の開閉部を備え、当該第１の開閉部においては、上記前面部の一部に所定長だけ縦方向に切り目が入れられており、
上記左右の側面部は、縦方向に延びた第２の開閉部を備え、当該第２の開閉部を開くことで、上記前面部と上記後面部とを上記側面部において完全に切り離すことが可能となること
を特徴とする吸収性物品。
【請求項２】
上記第１の開閉部は、面ファスナーにより開閉自在に構成されていること
を特徴とする請求項１に記載の吸収性物品。
【請求項３】
上記第２の開閉部は、面ファスナーにより開閉自在に構成されていること
を特徴とする請求項１又は２のいずれかに記載の吸収性物品。
【請求項４】
上記第２の開閉部には、上記面ファスナーによる開閉をする際に持ち手となるつまみ部が設けられていること
を特徴とする請求項３に記載の吸収性物品。
【請求項５】
上記底面部の上記開口部には、その周縁を取り囲むように横漏れ防止部材が配設されていること
を特徴とする請求項１乃至４のいずれかに記載の吸収性物品。
【請求項６】
上記後面部の情報には、上記ベルト部の延出方向と平行に延出する形で背漏れ防止部材が配設されていること
を特徴とする請求項１乃至５のいずれかに記載の吸収性物品。
【請求項７】
上記前面部と上記後面部は、通気性及び伸縮性のある素材で構成されていること
を特徴とする請求項１乃至６のいずれかに記載の吸収性物品。
【請求項８】
上記前面部に入れられた切り目部分には、相互に重なるように構成された一対の交差部からなる第３の開閉部が設けられ、該交差部が面ファスナーにより開閉自在とされること
を特徴とする請求項１乃至７のいずれかに記載の吸収性物品。
【請求項９】
前面部と、
上記前面部と対向する後面部と、
上記前面部と後面部とを接続する左右の側面部と、
上記前面部の下方から上記後面部の下方へと連続し、装着者の足が挿通される一対の開口部を有する底面部と、
上記前面部、上記後面部、上記左右の側面部、及び上記底面部で構成される袋体の上端の周縁に設けられるベルト部と、
上記底面部の上記開口部に、その周縁を取り囲むように配設された横漏れ防止部材と、
上記後面部の上方に、上記ベルト部の延出方向と平行に延出する形で配設された背漏れ防止部材と、
上記底面部の上記一対の開口部にそれぞれ設けられた弾力性及び伸縮性のある素材からなるギャザー部材と、を備え、
上記ベルト部は、上記周縁に固着、或いは一体に成形されており、面ファスナーにより開閉自在に構成された第１の開閉部を備え、当該第１の開閉部においては、上記前面部の一部に所定長だけ縦方向に切り目が入れられており、
上記左右の側面部は、縦方向に延びた面ファスナーにより開閉自在に構成された第２の開閉部を備えており、この第２の開閉部には、上記面ファスナーによる開閉をする際に持つ部分となるつまみ部が設けられており、当該つまみ部をつまんで上記第２の開閉部を開くことで、上記前面部と上記後面部とを上記側面部において完全に切り離すことが可能となり、
上記前面部と上記後面部は、通気性及び伸縮性のある素材で構成されており、
上記前面部に入れられた切り目部分には、相互に重なるように構成された一対の交差部からなる第３の開閉部が設けられており、該交差部が面ファスナーにより開閉自在とされること
を特徴とする吸収性物品。
【考案の詳細な説明】
【技術分野】
【０００１】
本考案は、例えば、幼児用、大人用等のパンツ式の使い捨て紙おむつ等の吸収性物品に関する。
【背景技術】
【０００２】
従来、幼児用、大人用等の使い捨ておむつでは、本来の吸収性に係る機能に加えて、どのような姿勢においても着用者に簡単に装着可能とすることが嘱望されている。このような要求に鑑みて、従来、種々の技術が開発されている。
【０００３】
例えば、特許文献１では、腹側部、背側部、及び股下部を有する吸収性本体と、吸収性本体を着用者に止着するベルトと、ベルトを挿通し吸収性本体に固定されるベストループ部とを備え、ベルトは、ベルトの長さを調整する調整止着材を有し、おむつの装着時にベルトの長さが調整されるようになっている吸収性物品が開示されている。
【先行技術文献】
【特許文献】
【０００４】
【特許文献１】特開２０１１−９８０３２号公報
【考案の概要】
【考案が解決しようとする課題】
【０００５】
しかしながら、上記特許文献１に開示された考案では、両側部はベルトで開かないように保持されているにすぎないので、全体的に装着のフィット感がない。また、装着したままで前面部を一部開口状態とし、装着者がトイレ等で用をたすことは想定して構成されていない。
【０００６】
そこで、本考案は上述の技術的な課題に鑑み、全体的に装着のフィット感があり、装着したままで前面部を一部開口状態とし、装着者がトイレ等で小便をすることも可能な、幼児用、大人用の使い捨ておむつ等の吸収性物品を提供することを目的とする。
【課題を解決するための手段】
【０００７】
上述したような技術的な課題を解決するため、本考案の一態様に係る吸収性物品は、前面部と、上記前面部と対向する後面部と、上記前面部と後面部とを接続する左右の側面部と、上記前面部の下方から上記後面部の下方へと連続し、装着者の足が挿通される一対の開口部を有する底面部と、上記前面部、上記後面部、上記左右の側面部、及び上記底面部で構成される袋体の上端の周縁に設けられるベルト部と、を備え、上記ベルト部は、第１の開閉部を備え、当該第１の開閉部においては、上記前面部の一部に所定長だけ縦方向に切り目が入れられており、上記左右の側面部は、縦方向に延びた第２の開閉部を備え、当該第２の開閉部を開くことで、上記前面部と上記後面部とを上記側面部において完全に切り離すことが可能となることを特徴としている。
【０００８】
さらに、本考案の他の態様に係る吸収性物品は、前面部と、上記前面部と対向する後面部と、上記前面部と後面部とを接続する左右の側面部と、上記前面部の下方から上記後面部の下方へと連続し、装着者の足が挿通される一対の開口部を有する底面部と、上記前面部、上記後面部、上記左右の側面部、及び上記底面部で構成される袋体の上端の周縁に設けられるベルト部と、上記底面部の上記開口部に、その周縁を取り囲むように配設された横漏れ防止部材と、上記後面部の上方に、上記ベルト部の延出方向と平行に延出する形で配設された背漏れ防止部材と、上記底面部の上記一対の開口部にそれぞれ設けられた弾力性及び伸縮性のある素材からなるギャザー部材と、を備え、上記ベルト部は、上記周縁に固着、或いは一体に成形されており、面ファスナーにより開閉自在に構成された第１の開閉部を備え、当該第１の開閉部においては、上記前面部の一部に所定長だけ縦方向に切り目が入れられており、上記左右の側面部は、縦方向に延びた面ファスナーにより開閉自在に構成された第２の開閉部を備えており、この第２の開閉部には、上記面ファスナーによる開閉をする際に持つ部分となるつまみ部が設けられており、当該つまみ部をつまんで上記第２の開閉部を開くことで、上記前面部と上記後面部とを上記側面部において完全に切り離すことが可能となり、上記前面部と上記後面部は、通気性及び伸縮性のある素材で構成されており、上記前面部に入れられた切り目部分には、相互に重なるように構成された一対の交差部からなる第３の開閉部が設けられており、該交差部が面ファスナーにより開閉自在とされることを特徴としている。
【考案の効果】
【０００９】
本考案に係る吸収性物品によれば、幼児用、大人用の使い捨ておむつ等であって、全体的に装着のフィット感があり、装着したままで前面部を一部開口状態とし、装着者がトイレ等で小便をすることも可能となる。
【図面の簡単な説明】
【００１０】
【図１】本考案の第１の実施形態に係る吸収性物品の前方斜視図である。
【図２】本考案の第１の実施形態に係る吸収性物品の後方斜視図である。
【図３】本考案の第１の実施形態に係る吸収性物品の他の前方斜視図である。
【図４】本考案の第２の実施形態に係る吸収性物品の前方斜視図である。
【図５】本考案の第２の実施形態に係る吸収性物品の後方斜視図である。
【図６】本考案の第２の実施形態に係る吸収性物品の他の前方斜視図である。
【考案を実施するための形態】
【００１１】
以下、本考案の吸収性物品に係る好適な実施形態について図面を参照して説明する。なお、本考案の吸収性物品は、以下の記述に限定されるものではなく、本考案の要旨を逸脱しない範囲において、適宜変更可能である。
【００１２】
（第１の実施形態）
【００１３】
図１には本考案の第１の実施形態に係る吸収性物品の左上斜め前方から見た斜視図を示し、図２には当該吸収性物品の右上後方から見た斜視図を示し、図３には当該吸収性物品の左上斜め前方から見た他の斜視図を示し説明する。
【００１４】
これらの図に示されるように、吸収性物品１は、前面部２と、この前面部２と対向する後面部３と、この前面部２と後面部３とを接続する左右の側面部４と、前面部２の下方から後面部３の下方へと連続し、装着者の足が挿通される一対の開口部５ａ，５ｂを有する底面部５と、を備えている。前面部２、後面部３、左右の側面部４、底面部５で構成される袋体の上端の周縁には、ベルト部６が設けられている。
【００１５】
即ち、この吸収性物品１は、前面部２、後面部３、左右の側面部４、底面部５で袋体が構成されるパンツ式の使い捨て紙おむつとなっている。尚、少なくとも前面部２と後面部３は、通気性及び伸縮性のある素材で構成されている。また、前面部２、後面部３の一面は、例えばポリプロピレンを繊維として用いた不織布からなり透水性を有し、他面は、例えばポリプロピレンを用いた防水シートからなり防水性を有する。防水シートは、例えば表面に直径がミクロン単位の穴を多数開けることにより、尿などの液体は通さずに空気を通すことにより通気性を確保することが可能である。
【００１６】
少なくとも底面部５は、吸湿性のある素材で構成されている。即ち、底面部５は、排泄物を吸収し、該排泄物が外部に漏れないよう保持するための部材であり、例えばポリアクリル酸ナトリウムを高分子吸収体として利用し、該高分子吸収体と綿状パルプとを混合することにより構成されている。但しこれには限定されない。
【００１７】
ベルト部６は、前面部２、後面部３、左右の側面部４の上端の周縁と一体となって構成されていてもよいし、別体でその一部が周縁に固着されるような構成としてもよい。ギャザー部材により少なくとも一部が構成されていてもよい。このベルト部６は、前面において、例えばマジックテープ（登録商標）等の面ファスナー６ｃ，６ｄにより開閉自在に構成された第１の開閉部６ａ，６ｂを備えている。このベルト部６の第１の開閉部６ａ，６ｂの境界において、前面部２には縦方向に所定長だけ切り目が入れられている。
【００１８】
左右の側面部４には、縦方向に第２の開閉部７が延設されており、当該第２の開閉部７を開くことで、前面部２と上記後面部３とを側面部４において完全に切り離すことが可能となる。即ち、第２の開閉部７により簡単に取り外しが可能となっている。
【００１９】
より詳細には、第２の開閉部７は、前面部２に接続された交差部７ｂと後面部３に接続された交差部７ａとを有している。そして、交差部７ｂには面ファスナー７ｄが配設されており、交差部７ａには面ファスナー７ｃが配設されている。そして、交差部７ｂに上面から覆い被さる交差部７ａには、開閉をする際に持ち手となるつまみ部７ｅが突出するような形で設けられている。
【００２０】
底面部５の開口部５ａ，５ｂには、その周縁を取り囲むように段差のある横漏れ防止部材８ａ，８ｂが配設されている。横漏れ防止部材８ａ，８ｂは、着用時に例えば高齢者や幼児の脚周りに当接し、底面部５と該高齢者の体との間の隙間を狭くすることにより、該隙間から便が漏れることを防止するための部材である。
【００２１】
さらに、底面部５の開口部５ａ，５ｂには、ギャザー部材９ａ，９ｂがそれぞれ形成されている。このギャザー部材９ａ，９ｂは、弾力性及び伸縮性のある素材により形成されており、装着性やフィット感を向上される役割を担っている。即ち、ギャザー部材９ａ，９ｂは、例えば高齢者や幼児等の体の一部分を当接することにより、該高齢者の体の一部分と底面部５の間に隙間が生じ難くし、該隙間からの排泄物の漏れを防止するための部材である。この様なギャザー部材９ａ，９ｂは、例えばポリプロピレンを繊維として用いた不織布及びゴム等の伸縮性素材からなる。
【００２２】
後面部３の上方には、ベルト部６の延出方向と平行に延出する形で背漏れ防止部材１０が配設されている。背漏れ防止部材１０は、着用時に例えば高齢者や幼児の背中に当接して、後面部３と該高齢者の体との間の隙間を狭くすることにより、該隙間から便が漏れることを防止するための部材である。背漏れ防止部材１０は、後面部３に、例えば接着剤を用いて接着されて設けられている。
【００２３】
このような横漏れ防止部材８ａ，８ｂ、背漏れ防止部材１０は、例えば、ゴム、硬質紙材、不織布又はスポンジで構成されてよい。
【００２４】
以上説明したように、本考案の一実施形態によれば、前面部２と、前面部２と対向する後面部３と、前面部２と後面部３とを接続する左右の側面部４と、前面部２の下方から後面部３の下方へと連続し、装着者の足が挿通される一対の開口部５ａ，５ｂを有する底面部５と、前面部２、後面部３、左右の側面部４、及び底面部５で構成される袋体の上端の周縁に設けられるベルト部６と、を備え、ベルト部６は、第１の開閉部６ａ，６ｂを備え、当該第１の開閉部６ａ，６ｂにおいては、前面部２の一部に所定長だけ縦方向に切り目が入れられており、左右の側面部４は、縦方向に延びた第２の開閉部７を備え、当該第２の開閉部７（即ち、交差部７ａ，７ｂ）を開くことで、前面部２と後面部３とを側面部４において完全に切り離すことが可能となることを特徴とする吸収性物品１が提供される。したがって、幼児用、大人用の使い捨ておむつ等として全体的な装着のフィット感が実現され、装着したままで前面部２を一部開口状態とし、装着者がトイレ等で用をたすことも可能となる。
【００２５】
ここで、第１の開閉部６ａ，６ｂは、面ファスナー６ｃ，６ｄにより開閉自在に構成されていることとしてもよい。従って、これによれば、面ファスナーを用いた簡易な構成により、ベルト部６が調節可能に開閉自在とされる。
【００２６】
第２の開閉部７（交差部７ａ，７ｂ）は、面ファスナー７ｃ，７ｄにより開閉自在に構成されていることとしてもよい。これによれば、左右の側面部４が面ファスナーを用いた簡易な構成により開閉自在とされるので、本吸収性物品１を脱ぐのも容易となる。さらに、第２の開閉部の交差部７ａ，７ｂには、面ファスナー７ｃ，７ｄによる開閉をする際に持ち手となるつまみ部７ｅが設けられていることとしてもよい。これによれば、つまみ部７ｅを用いて簡易且つ迅速に第２の開閉部を開閉することが可能となる。
【００２７】
底面部５の開口部５ａ，５ｂには、その周縁を取り囲むように横漏れ防止部材８ａ，８ｂが配設されていることとしてもよい。これによれば、足が挿通される開口部５ａ，５ｂから排泄物が漏れだすのを防止することができる。
【００２８】
後面部３の上方には、上記ベルト部の延出方向と平行に延出する形で背漏れ防止部材１０が配設されていることとしてもよい。これによれば、後面部３の上端から、高齢者や幼児等が寝た状態のときに、排泄物が漏れだすのを防止することができる。
【００２９】
以上のほか、前面部と上記後面部は、通気性及び伸縮性のある素材で構成されていることとしてもよい。
【００３０】
（第２の実施形態）
【００３１】
図４には本考案の第２の実施形態に係る吸収性物品の左上斜め前方から見た斜視図を示し、図５には当該吸収性物品の右上後方から見た斜視図を示し、図６には当該吸収性物品の左上斜め前方から見た他の斜視図を示し説明する。ここでは、図１乃至３と同一構成については同一符号を付し、重複した説明は省略し、特徴部分のみを説明する。
【００３２】
これらの図に示されるように、吸収性物品２０では、前面部２のベルト部６の第１の開閉部６ａ，６ｂの開閉部分に縦方向に設けられた第３の開閉部２１は、交差して重なるように構成された交差部２１ａ，２１ｂを有し、各交差部２１ａ，２１ｂのそれぞれに面ファスナー２１ｃ，２１ｄが配設されており、重なったときに閉じた状態が維持されるようになっている。この第３の開閉部２１の交差部２１ａ，２１ｂは、第２の実施形態に係る吸収性物品１の切れ目よりも縦方向に長く設けられているので、装着者は、この吸収性物品２０を装着したまま、トイレ等にいき、小便をすることも可能となっている。
【００３３】
以上説明したように、第２の実施形態によれば、前面部２に入れられた切り目部分としての第３の開閉部２１の交差部２１ａ，２１ｂは、相互に重なるように構成され、面ファスナー２１ｃ，２１ｄにより開閉自在とされる吸収性物品が提供される。従って、これによれば、簡易な構成で前面部の一部が開閉自在とされ、装着したまま、トイレ等に出向き、小便をすることが可能となる。
【００３４】
以上、本考案の実施形態について説明したが、本考案はこれに限定されることなく、その趣旨を逸脱しない範囲で種々の改良・変更が可能であることは勿論である。
【００３５】
例えば、ベルト部６のサイズは、７５〜１１０ｃｍとしてもよい。さらに、左右の側面部４の第２の開閉部７ａ，７ｂの短手方向の幅は１．５ｃｍとしてもよい。さらに、吸収性物品１，２０の全長は４０ｃｍ程度としてもよい。また、横漏れ防止部材８ａ，８ｂの幅は０．５〜０．７ｍｍ程度としてもよい。
【００３６】
また、本考案によれば、前面部２と、前面部２と対向する後面部３と、前面部２と後面部３とを接続する左右の側面部４と、前面部２の下方から後面部３の下方へと連続し、装着者の足が挿通される一対の開口部５ａ，５ｂを有する底面部５と、前面部２、後面部３、左右の側面部４、及び底面部５で構成される袋体の上端の周縁に設けられるベルト部６と、底面部５の上記開口部５ａ，５ｂに、その周縁を取り囲むように配設された横漏れ防止部材８ａ，８ｂと、後面部３の上方に、ベルト部６の延出方向と平行に延出する形で配設された背漏れ防止部材１０と、底面部５の一対の開口部５ａ，５ｂにそれぞれ設けられた弾力性及び伸縮性のある素材からなるギャザー部材９ａ，９ｂと、を備え、ベルト部６は、周縁に固着、或いは一体に成形されており、面ファスナー６ｃ，６ｄにより開閉自在に構成された第１の開閉部６ａ，６ｂを備え、当該第１の開閉部６ａ，６ｂにおいては、前面部２の一部に所定長だけ縦方向に切り目が入れられており、左右の側面部４は、縦方向に延びた面ファスナー７ｃ，７ｄにより開閉自在に構成された第２の開閉部７（交差部７ａ，７ｂ）を備えており、この第２の開閉部７（交差部７ａ，７ｂ）には、面ファスナー７ｃ，７ｄによる開閉をする際に持つ部分となるつまみ部７ｅが設けられており、当該つまみ部７ｅをつまんで第２の開閉部７を開くことで、前面部２上記後面部３とを側面部４において完全に切り離すことが可能となり、前面部２と後面部３は、通気性及び伸縮性のある素材で構成されており、前面部２に入れられた切り目部分には、相互に重なるように構成された一対の交差部２１ａ，２１ｂからなる第３の開閉部が設けられており、該交差部が面ファスナー２１ｃ，２１ｄにより開閉自在とされることを特徴とする吸収性物品が提供される。
【００３７】
以上、本考案の第１、第２の実施形態について説明したが、本考案はこれに限定されることなく、その主旨を逸脱しない範囲で種々の改良・変更が可能である。例えば、上記実施形態では、左右の側面部に設けた第２の開閉部をマジックテープ（登録商標）等の面ファスナーで構成する例を示したが、これに限定されることなく、例えばボタンや点ファスナー、線ファスナーにより開閉自在に構成しても良いことは勿論である。さらに、特定の条件の下で着脱自在となる特殊な接着剤を用いて粘着テープ等により第２の開閉部を開閉自在に構成してもよい。
【符号の説明】
【００３８】
１  吸収性物品
２  前面部
３  後面部
４  側面部
５ａ，５ｂ  開口部
６ａ，６ｂ  第１の開閉部
６ｃ，６ｄ  面ファスナー
７  第２の開閉部
７ａ，７ｂ  第２の開閉部の交差部
７ｃ，７ｄ  面ファスナー
７ｅ  つまみ部
８ａ，８ｂ  横漏れ防止部材
９ａ，９ｂ  ギャザー部材
１０  背漏れ防止部材
２０  吸収性物品
２１  第３の開閉部
２１ａ，２１ｂ  第３の開閉部の交差部
２１ｃ，２１ｄ  面ファスナー
【図１】
0003178260.tif 000003
【図２】
0003178260.tif 000004
【図３】
0003178260.tif 000005
【図４】
0003178260.tif 000006
【図５】
0003178260.tif 000007
【図６】
0003178260.tif 000008